(57)【要約】    【課題】  各種記録媒体に対する記録ストラテジ制御が可能となるようなレーザドライバを用いて、各種記録媒体に情報データを安定に記録再生することが可能な情報記録再生装置を提供すること。    【解決手段】  変調回路７からのＮＲＺ信号とそれに同期したクロック信号chＣＬＫを得て、レーザドライバ１０内部に配置したＰＬＬ回路１１５によって記録周波数を発振させることによりＮＲＺ信号に対応した記録電流信号を発生することができるレーザドライバに対し、その内部にＰＬＬ回路１１５の発振状態を検知するアンロック検出回路１１６を設置し、アンロック回路１１６からの検出信号で記録再生動作を制御する。    【選択図】  図２
2008091028.tif 000002
【特許請求の範囲】
【請求項１】
半導体レーザと、該半導体レーザを駆動して発光させるレーザドライバと、該半導体レ
ーザから出た光を情報記録媒体上にスポットとして絞り込む光学系と、該情報記録媒体か
ら反射された光を受光する光検出器と、を有する光ヘッドと、
情報を所定の規則にしたがって変調する変調回路と、
再生された信号を元の情報に戻す復調回路と、
前記変調回路及び前記復調回路を制御する演算・制御回路を備えた情報記録再生装置に
おいて、
該変調回路からの２値化信号と該２値化信号に同期したクロック信号を得て、内部に配
置したＰＬＬ回路によって記録周波数を発振させることにより、前記２値化信号に対応し
た記録電流信号を発生するレーザドライバを設け、
該レーザドライバは、前記ＰＬＬ回路の発振状態を検知するアンロック検出回路を備え
ており、該アンロック検出回路からの検出信号をモニタ信号として前記演算・制御回路に
送出し、該モニタ信号により記録動作を制御することを特徴とする情報記録再生装置。
【請求項２】
半導体レーザと、該半導体レーザを駆動して発光させるレーザドライバと、該半導体レ
ーザから出た光を光学的に情報を記録および再生するために情報記録媒体上にスポットと
して絞り込む光学系と、さらに該情報記録媒体から反射された光を受光する光検出器と、
を有する光ヘッドと、
情報を所定の規則にしたがって変調する変調回路と、
再生された信号を元の情報に戻す復調回路と、
前記変調回路及び前記復調回路を制御する演算・制御回路からなる情報記録再生装置に
おいて、
該変調回路からの２値化信号と該２値化信号に同期したクロック信号を得て、内部に配
置した遅延回路を通して２値化信号に対応した記録電流信号を発生するレーザドライバを
設け、
該遅延回路の出力をモニタ信号として前記演算・制御回路に送出し、該モニタ信号によ
り記録媒体からの反射光をサンプル／ホールドするためのタイミング信号を生成すること
を特徴とする情報記録再生装置。
【請求項３】
フレキシブルケーブルを介して、光ピックアップが備えるレーザ駆動回路に信号を供給
する構成の光ディスク装置において、
前記レーザ駆動回路は、前記フレキシブルケーブルを介して供給される第１のクロック
信号に基づいて該第１のクロック信号とは異なる周波数の第２のクロック信号を生成する
ＰＬＬ回路と、前記ＰＬＬ回路の異常を検出する検出回路とを有し、該第２のクロック信
号及び前記フレキシブルケーブルを介して供給される２値化信号に基づいてレーザ駆動電
流を生成する構成であり、
前記検出回路が前記ＰＬＬ回路の異常を検出した場合には、前記レーザ駆動回路への前
記２値化信号の供給を停止することを特徴とする情報記録再生装置。
【請求項４】
前記検出回路が前記ＰＬＬ回路の異常を検出した場合にも、前記第１のクロック信号を
前記レーザ駆動回路に供給することを特徴とする請求項３記載の情報記録再生装置。
【発明の詳細な説明】
【技術分野】
【０００１】
本発明は、レーザから照射する光によって情報の記録あるいは再生を行う情報記録再生
装置に関し、特に、ＮＲＺ変調信号等の２値化信号とそれに同期したクロック信号を得て
、２値化信号に対応した記録電流信号を発生することが出来るレーザドライバを有する情
報記録再生装置に関するものである。
【背景技術】
【０００２】
情報記録媒体の記録膜に光ビームを照射し、穴あけピット、相変化ピット、色素ピット
あるいは磁化ドメイン等の記録マークを記録膜に形成して情報を記録し、記録媒体からの
反射光を用いて情報を再生する光学的な情報記録再生装置においては、複数の情報記録媒
体（光ディスクと称する）を入れ替えて使用できるので、情報を大量に記録再生すること
ができる特徴を持ち、パーソナルコンピュータ用あるいは大型コンピュータ用の大容量外
部記憶装置として使用されている。
【０００３】
近年、高密度記録化に伴い、情報記録媒体面に記録されるマーク（あるいはピット）は
たとえば0.5μｍ長以下のものを形成することが要求され、このマーク形成を実現するた
めに記録パワーをパルス分割化（マルチパルス化）し、さらにそのレベルを多値（例えば
３値や４値）に変化させるパワー制御が必要となってきている。また記録マーク群とその
間にあるスペース群の時間間隔を最適化するため、マーク記録時に、隣接のスペース長お
よびマーク長に応じて分割された記録パルスの時間的位置やパルス幅をアダプティブに可
変制御する記録パルスのアダプティブ制御（以下、この制御を記録ストラテジ制御と称す
。）が必要となってきている。
【０００４】
このような記録ストラテジ制御を行うためには、上記マルチパルスの各パルスの立ち上
がり特性(Tr)／立ち下がり特性（Tf）を考慮する必要がある。この場合のＴｒ、Ｔｆ特性
として数ｎｓ程度を要するが、さらに高速転送記録の要求からディスク回転数の高速化に
対応して、このＴｒ、Ｔｆ特性をより高速にする場合には、光ヘッド上のレーザまで記録
パルス波形のＴｒ、Ｔｆ特性の劣化無しに伝送することは非常に困難である。従来の構成
では、記録ストラテジ制御を実行する回路を、変調回路側の基板上に配置していて、その
構成上、基板から光ヘッドのレーザまでの記録パルス波形の伝送距離が長くならざるを得
なかったためである。
【発明の開示】
【発明が解決しようとする課題】
【０００５】
本発明の目的は上記問題を解決し、高密度記録および高速転送記録が可能な情報記録再
生装置を提供することにある。
【０００６】
本発明のもう一つの目的は、各種記録媒体に対する記録ストラテジ制御が可能となるよ
うな記録ストラテジ制御を実行する回路を備えたレーザドライバを提供し、かかるレーザ
ドライバを用いて、情報記録媒体に対する情報データの記録あるいは再生の信頼性を向上
させることができる情報記録再生装置を提供することにある。
【課題を解決するための手段】
【０００７】
上記課題を実現する本発明の要旨は以下のとおりである。
【０００８】
記録ストラテジ制御可能なレーザドライバを半導体レーザに近接して配置して駆動電流
波形のＴｒ、Ｔｆ特性の劣化を低減する。
【０００９】
このレーザドライバは、変調回路からのＮＲＺ変調信号等の２値化信号とそれに同期し
たクロック信号を得て、内部に配置したＰＬＬ回路によって記録周波数を発振させること
により２値化信号に対応した記録電流信号を発生することができる。しかし、ＰＬＬ回路
の発振状態が異常になると、基準の記録周波数が異常になり、正常に記録が出来なくなる
。そこでレーザドライバ内部にＰＬＬ回路の発振状態を検知するＰＬＬアンロック検出回
路を設置し、アンロック回路からの検出信号をモニタ信号として記録再生動作を司る演算
・制御回路に送出し、記録動作を制御するようにする。
【００１０】
ここで、ＣＤ−Ｒディスクに情報データを記録する場合を考える。ＣＤ−Ｒ記録中はサ
ーボ信号等を検出するために、パルス変調された反射光のうち、再生パワーレベルに対応
する、ＤＣレベルをサンプル・ホールドする必要がある。これは変調回路からのＮＲＺ変
調信号に対し、反射光にタイミングを合わせるために遅延回路を設置している。この場合
、遅延回路を追加するためにコスト等の問題が発生する。
【００１１】
そこで、２値化信号とそれに同期したクロック信号を得て、内部に配置した遅延回路を
通して２値化信号に対応した記録電流信号を発生することが出来る形態をとる上述の本発
明に基づいて、さらに、この遅延回路の出力をモニタ信号として記録動作を司る演算・制
御回路に送出し、このモニタ信号により記録媒体からの反射光をサンプル／ホールドする
ためのタイミング信号を生成するようにする。
【発明の効果】
【００１２】
以上説明したように、本発明によれば、高密度記録および高速転送記録が可能になる。
【００１３】
また、情報記録媒体に対する情報データの記録あるいは再生の信頼性を向上させること
ができる。
【発明を実施するための最良の形態】
【００１４】
＜第１の実施例＞
図１に本発明の一実施形態である情報記録再生装置の一例を示す。情報の記録再生が行
われる情報記録媒体１は、スピンドルモータ２によって保持され、回転する。情報記録媒
体１を形成する記録膜としては、相変化形記録膜（ＧｅＳｂＴｅ）、有機色素膜や光磁気
形記録膜（ＴｂＦｅＣｏ）がある。情報の記録、再生を行うためのレーザ光を発光する半
導体レーザ（本図中に図示せず）と、半導体レーザからの光をディスク面上に１ミクロン
程度の光スポットとして形成する光学系と、情報記録媒体１からの反射光を用いて情報の
再生および自動焦点、トラック追跡などの光点制御を行うための光検出器１６とを有する
光ヘッド３によって情報記録媒体１上に情報の記録、再生を行う。また、光ヘッド３は光
ヘッド３自体をディスク半径方向に高速に駆動し、位置付けるリニアモータ(図示せず)を
構成している。本実施形態では、光ヘッド３と演算・制御回路６、変調回路７、再生回路
１１及びサーボ制御回路１３との間はフレキシブルケーブル等の信号線で接続されている
。また、インターフェース制御回路５、演算・制御回路６、変調回路７、再生回路１１、
復調回路１２及びサーボ制御回路１３は、光ヘッド３とは別個の回路基板上に形成されて
いる。
【００１５】
通常、情報記録再生装置としての光ディスク装置は、パーソナルコンピュータ、ワーク
ステーション等のホストコンピュータ４(以下ホストと略す)と、例えばＳＣＳＩ（Small 
Computer System Interface)やＡＴＡＰＩ(AT Attached Packet Interface)の規格に則っ
たインターフェースケーブルで接続されており、ホスト４からの命令や情報データを含む
コマンドを光ディスク装置内のインターフェース制御回路５で解読し、マイコン等から構
成される演算・制御回路６を通して情報の記録、再生およびシーク動作を実行する。
【００１６】
まず最初に、この光ディスク装置における記録動作について説明する。記録データは、
ホスト４から情報記録媒体１上の記録位置情報（アドレス情報）を付加された状態で記録
コマンドが発行され、演算・制御回路６内のバッファメモリ（図示せず）内に蓄積された
後、時系列的に変調回路７に送られる。そして、変調回路７において、記録データはラン
レングスリミティッド（ＲＬＬ）コード、例えば（１、７）ＲＬＬコード、（２、７）Ｒ
ＬＬコード、ＤＶＤ（Digital Versatile Disk）に使われている（２、１０）ＲＬＬコー
ドあるいはＣＤフォーマットに対応したＥＦＭ（eight-fourteen modulation）コードに
対応する符号列に変換され、さらに記録膜上に形成するマーク形状に対応したパルス列（
２値化信号）に変換される。これらのパルス列（総称してＮＲＺ信号と呼ぶ。）は、光ヘ
ッド３上のレーザドライバ８あるいは９に導かれ、このＮＲＺ信号に応じて半導体レーザ
がＯＮ，ＯＦＦしてパルス発光し、光ヘッド３で収束したスポットによって情報記録媒体
１に記録マークが形成される。
【００１７】
図１ではレーザは2個搭載してある。レーザＤ８はＤＶＤ関連情報データ(ＤＶＤ−ＲＡ
Ｍ／−Ｒ／−ＲＷ＋ＲＷ)の記録時に使用する波長６５０ｎｍ帯のレーザであり、３０ｍ
Ｗ以上の出力を持つ。また、レーザＣ９はＣＤ関連情報データ(ＣＤ−Ｒ／−ＲＷ)の記録
時に使用する波長７８０ｎｍ帯のレーザであり、５０ｍＷ以上の出力を持っている。本実
施形態では、レーザドライバ１０が２つの出力端子を持っているために２個のレーザそれ
ぞれを発光させることができる。
【００１８】
次に、この光ディスク装置における再生動作について説明する。再生時はホスト４から
の再生コマンドにより指定された、情報記録媒体１（例えば、ＤＶＤ−ＲＡＭとする）上
のトラックに光ヘッド３からの光スポットを位置付け、当該トラックから信号を再生する
。まず、光ヘッド３上のレーザドライバ１０経由でレーザＤ８をＤＣ発光させて記録媒体
１上の記録膜に照射すると、記録マークに対応した反射光が得られ、光ヘッド３内の光検
出器１６で受光して光電変換され、電気信号となって再生回路１１に入力された後、デー
タを再生されることになる。通常、再生回路１１は信号振幅を一定に保持するための自動
利得制御回路（ＡＧＣ）、光学的な空間周波数劣化を補正する波形等化回路（ＥＱ）、低
域制限フィルタ（ＬＰＦ）、二値化回路、ＰＬＬ(Phase Locked Loop)回路、弁別回路か
ら構成されており、再生信号を二値化した後、弁別されたデータに変換する。弁別された
二値化データは復調回路１２に入力され、（１、７）ＲＬＬコード、（２、７）ＲＬＬコ
ード、（２，１０）ＲＬＬコードあるいはＥＦＭコードの復調を行って元のデータを復調
する。復調されたデータは演算制御回路６に導かれてホスト４からの再生コマンドに対応
してインターフェース制御回路５からホスト４に転送される。
【００１９】
光ヘッド３内の光検出器１６では、データ再生信号のほかに光スポットを記録膜上に焦
点制御を行う自動焦点信号と任意のトラックに位置付けるトラック追跡制御を行うトラッ
ク追跡信号を検出することができ、これら光点制御を行う自動焦点信号、トラック追跡信
号はサーボ制御回路１３に導かれる。サーボ制御回路１３は誤差信号生成回路、位相補償
回路、および駆動回路（いずれも図示せず）から構成されており、光ヘッド３を任意のト
ラックに位置付けることにより情報の記録、再生を実行する。
【００２０】
図２を用いて、光ヘッド３上に搭載してある、レーザドライバ１０について詳しく説明
する。Serial Interface制御部１００は、演算・制御回路６よりシリアル転送されて供給
される各種レジスタの設定値を取込み、パラレルに変換して、対応するレジスタに設定値
を書込む。なお、ＳＥＮは、Serial interface制御部１００を動作状態にする信号であり
、ＳＣＬＫは、Serial interface制御部１００のクロック信号であり、ＳＤＩＯは、Seri
al interface制御部１００のデータ信号である。
【００２１】
Read-DAC１０２は、再生パワーレベルPreadを記憶する。ＨＦＭ（High Frequency Modu
le）１０３は、Preadレジスタ１０１、Preadの値に対応して駆動電流Ireadを出力するデ
ィジタル・アナログ変換回路で構成される再生時にレーザＤ８に高周波電流Ihfを重畳す
る。
【００２２】
記録電流生成部１０５は、記録パワーPaを記憶するPaレジスタ１０６、記録パワーPbを
記憶するPbレジスタ１０７、記録パワーPcを記憶するPcレジスタ１０８、記録パワーPdを
記憶するPdレジスタ１０９、１０６から１０９のレジスタの出力のいずれかを選択するセ
レクタ１１０および選択されたレジスタの記録パワー値に対応して記録駆動電流Iwriteを
出力するディジタル・アナログ変換回路で構成されるWrite Power DAC１１１より構成さ
れる。
【００２３】
また、Ｐｍａｘレジスタ１１２に記憶したＰｍａｘ値に対応した電流をWrite Power DA
C１１１の基準電流Irefとして出力するディジタル・アナログ変換回路で構成されるFull-
Scale DAC１１３を設けてある。Write Strategy制御部１０４は変調回路７より供給され
るＮＲＺ信号（２値化信号）、クロック信号chCLKおよび記録再生状態を設定する制御信
号ＷＲＧをもとに記録パワー波形のタイミング（Pa〜Pdレジスタを選択する制御信号Px-s
elect）を生成することができる。
【００２４】
Write Strategy制御部１０４は、入力されるＮＲＺ信号に応じて記録パルスを生成し、
そのパルスの時間的位置やパルス幅をアダプティブに可変制御する記録ストラテジ制御を
実現するために遅延回路１１４と、外部からのクロック信号chＣＬＫに同期して安定な記
録周波数を供給するためにＰＬＬ回路１１５を有している。
【００２５】
ＰＬＬ回路を基板ではなく、レーザドライバ１０内部に設置し、、クロック信号chＣＬ
Ｋ周波数を下げて伝送し、レーザドライバ１０内部のＰＬＬ回路１１５で正規の記録周波
数に同期させて発振させることにより、通常基板上に配置される演算・制御回路６や変調
回路７から基板上に配置することのできない光ヘッド３まで高周波信号を伝送する場合に
、隣接する信号線（例えばフレキシブルケーブル）への影響や高周波信号発生時に発生す
る不要輻射などの影響を低減することができる。
【００２６】
しかし、光ディスク装置全体を制御する演算・制御回路６は、変調回路７を制御してＰ
ＬＬ回路１１５に供給されるクロック信号chCLKの異常は判断できるが、レーザドライバ
内部のＰＬＬ回路１１５の発振状態の異常を判断することができない。従って、クロック
信号chＣＬＫはＰＬＬ回路１１５に正常に供給されているにも拘わらず、ＰＬＬ回路１１
５の発振状態が異常になった場合には、光ディスク装置自身は正常に記録が行われている
と判断しても、実際に情報記録媒体１に正常に記録が行われていないという問題が生じる
。
【００２７】
そこで、レーザドライバ１０内部にＰＬＬ回路１１５の発振状態を検知するアンロック
検出回路１１６を設置し、アンロック検出回路１１６からの検出信号をモニタ信号として
モニタ回路１１７から記録再生動作を司る演算・制御回路６に送出し、記録動作を制御す
ることにより実現できる。
【００２８】
図３で、上述の光ディスク装置をＤＶＤ−ＲＡＭドライブ、情報記録媒体１をＤＶＤ−
ＲＡＭディスクとして、記録を行なう場合の記録動作を詳細に説明する。図３(ｉ)は記録
時の再生回路における再生信号であり、PID(Physical Identification Data)はセクタ単
位にアドレシングされた番地で、DATA1は記録済みデータ、DATA2は記録時の反射光による
信号で、データ記録は上位からの指定されたセクタ番号のデータ領域にのみ実施されるこ
とになる。図３(ii)は変調回路７より供給されるＮＲＺ信号で、データ領域のみに供給さ
れる。図３(iii)は記録可能状態を設定する制御信号ＷＲＧで、“Ｌ”時が記録状態を示
し、“Ｈ”時は再生状態を示す。図３(iv)は変調回路から供給されるクロック信号CLKで
、再生状態となるＰＩＤ読み取り時は、再生時の隣接信号線への影響を低減するためにＣ
ＬＫ供給を中止する。この時、内部のＰＬＬ回路１１５は記録周波数を保持したまま、発
振し続ける。図３(v)はＰＬＬアンロック回路１１６の出力信号でモニタ回路１１７の出
力でもある。
【００２９】
ＰＬＬアンロック検出回路１１６は、通常出力が“Ｌ”であるが、ＰＬＬ回路１１５の
異常状態が検出された場合には、その出力を“Ｈ”とする。この出力は、演算・制御回路
６で受取られ、演算・制御回路６は、記録状態を設定するＷＲＧを“Ｈ”として変調回路
７から出力するとともに、変調回路７からのＮＲＺ信号の送出を一時中止して、ＰＬＬ発
振状態の回復を待つ。データ領域でＰＬＬ発振状態が回復した場合には、アンロック検出
信号の出力は“Ｌ”に戻り、再び記録を開始する。
【００３０】
なお、ＰＬＬ回路１１５のアンロック状態が検出された場合にも、変調回路７からのク
ロックＣＬＫだけはＰＬＬ同期の安定化を図るために送り続ける。これにより、短期間で
のＰＬＬ発振状態の安定化が可能となる。
＜第２の実施例＞
図４を用いて本発明の第２の実施形態としての情報記録再生装置を示す。本実施例では
、別のレーザドライバの使い方として、ＣＤ−Ｒ記録やＤＶＤ−Ｒ記録のように書替えの
出来ない、Write-Once型の光ディスクに対応する場合を考える。ＣＤ−Ｒ／ＤＶＤ−Ｒ記
録媒体は有機色素膜であり、この記録媒体１はスピンドルモータ２に保持されて回転して
おり、第１の実施例と同様に情報の記録、再生を行うレーザ光を発光する半導体レーザ（
本図中に図示せず）と、半導体レーザからの光をディスク面上に１ミクロン程度の光スポ
ットとして形成する光学系と、記録媒体１からの反射光を用いて情報の再生および自動焦
点、トラック追跡などの光点制御を行うための光検出器１６を有する光ヘッド３によって
記録媒体１上に情報の記録、再生を行う。
【００３１】
以下、ＣＤ−Ｒのケースについて、詳しく説明する。ＣＤ−Ｒ記録においては記録動作
が重要である。ＣＤ−Ｒ記録媒体に記録されるデータはＣＤフォーマットに対応したＥＦ
Ｍコード（以下、総称してＮＲＺ信号と言う。）であり、通常ＣＤ−ＲＯＭのデータある
いはCD-Audioのデータを連続あるいは単発的にホスト４におけるアプリケーションソフト
により記録媒体１上の指定されたトラック上に記録される。図４では図１と同様にレーザ
は2個搭載しているが、ＣＤ関連情報データを記録するために、波長７８０ｎｍ帯のレー
ザＣ９を使用する。
【００３２】
ＣＤ−Ｒの連続記録中においてもサーボ信号等を検出する必要があり、パルス変調され
た反射光のうち、再生パワーレベルに対応する、ＤＣレベルをサンプル・ホールドする必
要がある。従来は変調回路７からのＮＲＺ変調信号に対し、反射光にタイミングを合わせ
るために基板上に遅延回路を設置していた。本発明でのレーザドライバ１０ではＮＲＺ変
調信号とそれに同期したクロック信号ＣＬＫを得て、内部に配置した遅延回路１１４を通
してＮＲＺ信号に対応した記録電流信号を発生することが出来る形態をとっているので、
この遅延回路１１４を利用する。この遅延回路１１４の出力をモニタ信号としてレーザド
ライバ１０から送出し、このモニタ信号により記録媒体１からの反射光をサンプル／ホー
ルドするためのタイミング信号を前置回路１４で生成するようにすることで、基板上に別
個の遅延回路を設ける必要がなくなる。
【００３３】
図５を用いて詳しく説明する。図５(ｉ)はＮＲＺ信号であり、変調回路７からレーザド
ライバ１０に向かって送られる信号で、レーザドライバ１０内では遅延回路１１４で、あ
る規定遅延時間ΔＴ後に図５(ii)の記録パルス信号が発行される。この遅延時間ΔＴとし
ては８Ｔｗ〜３２Ｔｗを設定可能としておく。なお、Ｔｗは記録周波数の周期である。図
５(ii)の記録パルス信号により、レーザを高出力駆動すると、データ記録中の光検出器１
６には図５(iii)のような反射光信号が得られる。
【００３４】
図５(iii)のような反射光信号は、光パルス照射開始時は光ディスクの反射率に対応し
た信号が得られるが、ある時間後、記録膜の温度上昇によって記録が開始し、その反射光
が減少する。この信号成分は記録中のサーボ信号にとって外乱となるために、レーザドラ
イバ１０の図５(iv)モニタ信号の１つとして得られるゲート信号を用いて、反射光のうち
の再生パワーレベルをサンプルし、パルス部はホールドするゲート信号（ＳＨ信号）を前
置回路１４から出力することにより、記録中のサーボ信号の安定化を図る事が出来る。
【００３５】
また、図２に示すように、レーザＣ９の出射光をフロントモニタＣ３２で受光し、I-V
変換回路３４で電圧に変換し、パワー制御回路１５に導く。記録中の出力波形は図５の(v
i)フロントモニタ信号が得られ、レーザドライバ１０のモニタ信号の１つとして得られる
図５(iv)ゲート信号を用いて、パワー制御回路１５に置いて記録パルスレベルと再生レベ
ルを別々にサンプル、ホールドし、それぞれのレベルを演算・制御回路６に送付する。演
算・制御回路６ではＡＤ変換器でデジタルデータとして取り込み、目標値を演算した結果
をシリアルインターフェース経由でレーザドライバ１０に送ることにより、再生パワーの
場合はPread値を更新し、記録パワーの場合はPmax値を更新するようなフィードバック制
御を行うことにより、連続的な各パワーの安定化が実現できる。
【図面の簡単な説明】
【００３６】
【図１】本発明の第１の実施例の構成図である。
【図２】第１の実施例のレーザドライバの詳細図である。
【図３】第１の実施例の動作タイミング図である。
【図４】本発明の第２の実施例の構成図
【図５】第２の実施例の動作タイミング図
【符号の説明】
【００３７】
１…記録媒体、２…スピンドルモータ、３…光ヘッド、４…ホスト、５…インターフェ
ース制御回路、６…演算・制御回路、７…変調回路、８…ＤＶＤ用レーザＤ、９…ＣＤ用
レーザＣ、１０…レーザドライバ、１１…再生回路、１２…復調回路、１３…サーボ制御
回路、１４…前置回路、１５…パワー制御回路、１６…光検出器、３１…フロントモニタ
Ｄ、３２…フロントモニタＣ、３３、３４…Ｉ−Ｖ変換回路、１００…Serial Interface
制御部、１０１…Preadレジスタ、１０２…Read DAC、１０３…ＨＦＭ、１０４…Write S
trategy制御部、１０５…記録電流生成部、１０６…Paレジスタ、１０７…Pbレジスタ、
１０８…Pcレジスタ、１０９…Pdレジスタ、１１０…セレクタ、１１１…Write Power DA
C、１１２…Ｐｍａｘレジスタ、１１３…Full Scale DAC、１１４…モニタ回路、１１５
…内蔵ＰＬＬ回路、１１６…アンロック検出回路。
【図１】
2008091028.tif 000003
【図２】
2008091028.tif 000004
【図３】
2008091028.tif 000005
【図４】
2008091028.tif 000006
【図５】
2008091028.tif 000007
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
ＰＩＤ領域とデータ領域を有するＤＶＤ−ＲＡＭディスクを記録再生する情報記録再生
装置であって、
前記ＤＶＤ−ＲＡＭディスクに記録する記録データを２値化信号に変調して出力すると
ともにクロック信号を出力する変調回路と、
前記２値化信号と前記クロック信号に基づいてレーザ駆動電流を出力するレーザドライ
バと、
前記レーザ駆動電流に基づくレーザ光を前記ＤＶＤ−ＲＡＭディスクに照射することで
前記ＤＶＤ−ＲＡＭディスクに記録データを記録するレーザと、を具備しており、
前記変調回路は、前記ＰＩＤの読み取り時は前記クロック信号の出力を停止し、前記デ
ータ領域の記録時は前記クロック信号を出力することを特徴とする情報記録再生装置。
【請求項２】
請求項１に記載の情報記録再生装置において、
前記レーザドライバと前記レーザは前記ＤＶＤ−ＲＡＭの半径方向に移動する光ヘッド
に設けられており、
前記変調回路と前記光ヘッドはフレキシブルケーブルで接続されていることを特徴とす
る情報記録再生装置。
【請求項３】
情報記録媒体に記録する情報を所定の規則にしたがって変調した２値化信号を出力する
変調回路と、
該変調回路から出力される２値化信号と該２値化信号に同期したクロック信号を入力信
号としライトストラテジを出力するレーザドライバと、該ライトストラテジに従って駆動
する半導体レーザと、該半導体レーザから出た光を前記情報記録媒体上にスポットとして
絞り込む光学系と、を有する光ヘッドと、
前記変調回路を制御する演算・制御回路と、
を具備した情報記録再生装置において、
前記レーザドライバは、
前記クロック信号を入力信号として記録周波数を発振させ、記録周波数信号を出力する
ＰＬＬ回路と、
前記２値化信号と、前記記録周波数信号と、を用いて、ライトストラテジを生成するラ
イトストラテジ制御手段と、
前記ＰＬＬ回路の発振状態を検知するアンロック検出回路と、を有しており、
該アンロック検出回路での検出信号をモニタ信号として前記演算・制御回路に送出し、
前記演算・制御回路は、前記モニタ信号により記録動作を制御することを特徴とする情
報記録再生装置。